(57)【要約】  【課題】  廃棄物の洗浄能力が高い洗浄装置を提供する。  【解決手段】  廃棄物は、案内部材６上を落下して、廃棄物に付着している土や砂が案内部材６の網目から落下する。案内部材６の裏面側のエアノズル１３から噴射される圧縮空気により、廃棄物は回転ドラム３の下端部の開口３Ｂ方向に送り込まれ、回転ドラム３の回転により搬送ブレード３Ｇにより、回転ドラム３の長手方向における中心方向に送り込まれると共に、搬送ブレード３Ｈにより洗浄液中で攪拌されると共に、エアノズル１４からの圧縮空気の噴出により、さらにほぐされて攪拌される。回転ドラム３内で上端部の開口３Ａ寄りの洗浄液の水面に浮かんだ廃棄物は、回転ドラム３の搬送ブレード３Ｉにより、開口３Ａ方向に送られて、洗浄液ノズル４０から洗浄液を吹きかけられて、ゆすがれて、金網３Ｃの部分で、水切りされ、その後、開口３Ａから排出される。【選択図】  図１
2006068635.tif 000002
【特許請求の範囲】
【請求項１】
廃棄物を洗浄するための洗浄液が貯溜された水槽と、
下端部の開口を前記水槽の洗浄液中に入れ、上端部の開口を前記水槽外に出して、前記水槽に回転可能に傾斜配置された円筒形の回転ドラムと、
当該回転ドラムを回転駆動するドラム回転駆動手段と、
当該回転ドラム内に設けられ、下端部の開口から当該回転ドラム内に入った廃棄物を上端部の開口から排出するように搬送する搬送ブレードと、
少なくとも土又は砂が通過する開口部を複数有し、下端部を前記回転ドラムの下端部の開口に対向させて、廃棄物を前記回転ドラム内に案内する傾斜した案内部材と、
前記案内部材の近傍に設けられ、前記案内部材により前記回転ドラム内に案内される廃棄物に対して前記回転ドラム内方向に圧縮空気を噴出する送込用圧縮空気噴出手段と、
前記回転ドラムの下部側内で洗浄液に浸かった廃棄物を攪拌するための圧縮空気を噴出する攪拌用圧縮空気噴出手段と
を備えたことを特徴とする洗浄装置。
【請求項２】
前記回転ドラムの上端部側の円筒面には、洗浄液を通過させて、廃棄物の水切りを行うための複数の開口部を備えた水切部が形成されていることを特徴とする請求項１に記載の洗浄装置。
【請求項３】
前記回転ドラムの上端部近傍には、当該回転ドラムの上端部の開口から回転ドラム内に洗浄液を吹き出す洗浄液吹出手段が設けられていることを特徴とする請求項１又は２に記載の洗浄装置。
【請求項４】
前記水槽には、廃棄物から分離された土や砂を沈殿する複数の沈殿槽から成る水槽部沈殿槽が設けられ、当該水槽部沈殿槽の各沈殿槽の間は、サイフォン効果を生じるサイフォンパイプで接続されていることを特徴とする請求項１乃至３の何れかに記載の洗浄装置。
【請求項５】
前記洗浄液吹出手段に前記水槽部沈殿槽で土や砂が沈殿された後の洗浄液を送るポンプを備えたことを特徴とする請求項３又は４に記載の洗浄装置。
【請求項６】
前記回転ドラムの水切部の直下に設けられ、当該水切部から落下する洗浄液を受ける洗浄液受樋と、
当該洗浄液受樋の近傍に設けられ、当該洗浄液受樋が受けた洗浄水の土や砂を沈殿する樋部沈殿槽と、
当該樋部沈殿槽で土や砂が沈殿された後の洗浄液を、前記水槽部沈殿槽に戻すパイプと
を備えたことを特徴とする請求項４又は５に記載の洗浄装置。
【発明の詳細な説明】
【技術分野】
【０００１】
本発明は、洗浄装置に関し、詳細には、廃棄物を洗浄して付着した付着物を除去する洗浄装置に関する。
【背景技術】
【０００２】
従来、廃棄物中に混在する、紙、繊維、プラスチック類、ビニール類等の可燃物を主体とする軽質廃棄物とそれ以外の重質廃棄物（例えば、コンクリート、比較的大きな木片、金属類、硝子ビン等）は、人手による選別や風力選別機等で選別されていた。そして、選別後の軽質廃棄物は、土や砂等が付着して焼却処分も困難なために、最終処分場に埋められることが多かった。しかしながら、近年、最終処分場が不足し、選別後の軽質廃棄物を焼却処分をしたいという要望が高まってきた。この場合には、軽質廃棄物に付着物が多いと、焼却できないため、軽質廃棄物を洗浄する必要がある。例えば、洗浄装置の一例としては、洗浄用槽に螺旋状の回転羽根を設けて、回転羽根の回転により、廃棄物を移動して洗浄する洗浄装置が提案されている（例えば、特許文献１）。
【特許文献１】特開２００４−５００７５号公報
【発明の開示】
【発明が解決しようとする課題】
【０００３】
しかしながら、上述のような洗浄装置では、廃棄物の洗浄能力が十分でなく、廃棄物を焼却できる程度までにきれいに洗浄することができないという問題点があった。また、上述の洗浄装置では、洗浄液を排出してしまうため、環境汚染を防止するために洗浄液の処理が必要になるという問題点があった。
【０００４】
本発明は、上述の問題点を解決するためになされたものであり、その第１の目的としては、廃棄物の洗浄能力が高い洗浄装置を提供することを目的とし、第２の目的としては、洗浄液を繰り返し利用することができる洗浄装置を提供することを目的とする。
【課題を解決するための手段】
【０００５】
上記目的を達成するために、請求項１に記載の洗浄装置は、廃棄物を洗浄するための洗浄液が貯溜された水槽と、下端部の開口を前記水槽の洗浄液中に入れ、上端部の開口を前記水槽外に出して、前記水槽に回転可能に傾斜配置された円筒形の回転ドラムと、当該回転ドラムを回転駆動するドラム回転駆動手段と当該回転ドラム内に設けられ、下端部の開口から当該回転ドラム内に入った廃棄物を上端部の開口から排出するように搬送する搬送ブレードと、少なくとも土又は砂が通過する開口部を複数有し、下端部を前記回転ドラムの下端部の開口に対向させて、廃棄物を前記回転ドラム内に案内する傾斜した案内部材と、前記案内部材の近傍に設けられ、前記案内部材により前記回転ドラム内に案内される廃棄物に対して前記回転ドラム内方向に圧縮空気を噴出する送込用圧縮空気噴出手段と、前記回転ドラムの下部側内で洗浄液に浸かった廃棄物を攪拌するための圧縮空気を噴出する攪拌用圧縮空気噴出手段とを備えている。
【０００６】
請求項２に記載の洗浄装置は、請求項１に記載の発明の構成に加え、前記回転ドラムの上端部側の円筒面には、洗浄液を通過させて、廃棄物の水切りを行うための複数の開口部を備えた水切部が形成されていることを特徴とする。
【０００７】
請求項３に記載の洗浄装置は、請求項１又は２に記載の発明の構成に加え、前記回転ドラムの上端部近傍には、当該回転ドラムの上端部の開口から回転ドラム内に洗浄液を吹き出す洗浄液吹出手段が設けられていることを特徴とする。
【０００８】
請求項４に記載の洗浄装置は、請求項１乃至３の何れかに記載の発明の構成に加え、前記水槽には、廃棄物から分離された土や砂を沈殿する複数の沈殿槽から成る水槽部沈殿槽が設けられ、当該水槽部沈殿槽の各沈殿槽の間は、サイフォン効果を生じるサイフォンパイプで接続されていることを特徴とする。
【０００９】
請求項５に記載の洗浄装置は、請求項３又は４に記載の発明の構成に加え、前記洗浄液吹出手段に前記水槽部沈殿槽で土や砂が沈殿された後の洗浄液を送るポンプを備えている。
【００１０】
請求項６に記載の洗浄装置は、請求項４又は５に記載の発明の構成に加え、前記回転ドラムの水切部の直下に設けられ、当該水切部から落下する洗浄液を受ける洗浄液受樋と、当該洗浄液受樋の近傍に設けられ、当該洗浄液受樋が受けた洗浄水の土や砂を沈殿する樋部沈殿槽と、当該樋部沈殿槽で土や砂が沈殿された後の洗浄液を、前記水槽部沈殿槽に戻すパイプとを備えたことを特徴とする。
【発明の効果】
【００１１】
請求項１に記載の洗浄装置では、案内部材上に落下した廃棄物が送込用圧縮空気噴出手段から圧縮空気により回転ドラム内に送り込まれ、攪拌用圧縮空気噴出手段からの圧縮空気と回転ドラムの搬送ブレードにより、廃棄物が洗浄液中で攪拌されて洗浄される。そして、洗浄された廃棄物は、回転ドラムの上端部の開口から排出される。従って、廃棄物は、攪拌用圧縮空気噴出手段からの圧縮空気と回転ドラムの回転による搬送ブレードの攪拌という２つの要素により洗浄液中でしっかり洗浄される。
【００１２】
また、請求項２に記載の洗浄装置では、請求項１に記載の発明の効果に加え、回転ドラムの上端部側の円筒面の水切部により、廃棄物の水切りを十分に行うことができる。
【００１３】
また、請求項３に記載の洗浄装置では、請求項１又は２に記載の発明の効果に加え、洗浄液吹出手段により、回転ドラムの上端部の開口から回転ドラム内に洗浄液を吹き出すので、回転ドラム内で洗浄された廃棄物をさらにきれいに洗浄できる。
【００１４】
また、請求項４に記載の洗浄装置では、請求項１乃至３の何れかに記載の発明の効果に加え、サイフォンパイプで接続されている水槽部沈殿槽で、土や砂を沈殿させるので、洗浄液をきれいにして、再利用できる。
【００１５】
また、請求項５に記載の洗浄装置では、請求項３又は４に記載の発明の効果に加え、水槽部沈殿槽で土や砂が沈殿された後の洗浄液が洗浄液吹出手段にポンプで送られて噴出するので、洗浄水を再利用して、廃棄物をさらに洗浄することができる。
【００１６】
また、請求項６に記載の洗浄装置では、請求項４又は５に記載の発明の効果に加え、回転ドラムの上端部の水切部から落下する洗浄液は、洗浄液受樋により受けられて、その後、樋部沈殿槽で洗浄水の土や砂を沈殿して、水槽部沈殿槽に戻すことができ、洗浄液を循環して再利用できる。
【発明を実施するための最良の形態】
【００１７】
以下、本発明の一実施の形態である洗浄装置１について、図面を参照して説明する。尚、洗浄装置１は、廃棄物中に混在する、紙、繊維、廃プラスチック類、ビニール類等の可燃物を主体とする軽質廃棄物とそれ以外の重質廃棄物（例えば、コンクリート、石、比較的大きな木片、金属類、硝子ビン、土、砂等）とを風力で選別する風力選別機の下流側に設置され、当該風力選別機により選別された軽質廃棄物を洗浄して、当該軽質廃棄物に付着している土や砂等を洗浄液（一例として、水）で洗浄して、焼却できる程度にきれいにするものである。以下、「軽質廃棄物」を単に「廃棄物」とも言う。
【００１８】
以下、図１乃至図６を参照して、洗浄装置１の構造の詳細を説明する。ここで、図１は、洗浄装置１の正面図であり、図２は、洗浄装置１の平面図であり、図３は、洗浄装置１の左側面図であり、図４は、洗浄装置１の右側面図であり、図５は、図２における洗浄装置１のＡ−Ａ’線における断面図であり、図６は、回転ドラム３の縦断面図である。
【００１９】
まず、図１及び図２を参照して、洗浄装置１の全体構成を説明する。この洗浄装置１は、紙、繊維、廃プラスチック類、ビニール類等の可燃物を主体とする軽質廃棄物が投入されて、圧縮空気と回転ドラム３の回転により軽質廃棄物が洗浄液により洗浄されるものである。洗浄装置１は、上部が開放された略直方体形状の水槽２に、上端部及び下端部に開口を備えた円筒から成る回転ドラム３が回転可能に斜めに設置されている。尚、洗浄装置１の大きさの一例としては、水槽２が長さ５．５ｍ、幅２．６５ｍ、高さ１．５ｍであり、回転ドラム３は、口径１ｍ、長さ５．３ｍである。尚、洗浄装置１の大きさは、この大きさに限られず、各種の大きさに変更可能である。
【００２０】
次に、図１乃至図５を参照して、水槽２の構造の詳細について説明する。図１乃至図５に示すように、水槽２は、鋼板と鉄のフレームから構成され、上部が開放された略直方体の水槽であり、内部には、回転ドラム３が載置される回転ドラム載置部４と、廃棄物を回転ドラム３の下端部の開口３Ｂに案内する案内部材６が配置される投入部５と、投入部５の回りの洗浄液を貯める投入部水槽７と、第１沈殿槽８と、第２沈殿槽９とが設けられている。投入部水槽７と第１沈殿槽８との間は、隔壁１０により区切られ、また、第１沈殿槽８と第２沈殿槽９との間は、隔壁１１により区切られ、回転ドラム載置部４と第１沈殿槽８との間は、隔壁２０により区切られ、回転ドラム載置部４と第２沈殿槽９との間は、隔壁２１により区切られている。尚、投入部水槽７は、後述するグレーチング２７Ａの下部のみならず、投入部５全体が一体となった水槽である。また、図５に示すように、回転ドラム載置部４と投入部水槽７との間には、金網２２が設けられ、洗浄水は、当該金網２２を介して、回転ドラム載置部４と投入部水槽７との間で移動可能である。また、第１沈殿槽８及び第２沈殿槽９が、水槽部沈殿槽に相当する。
【００２１】
さらに、隔壁１０には、投入部水槽７と第１沈殿槽８とを繋ぐサイフォン効果のある逆Ｕ字型のサイフォンパイプ１５が設けられ、サイフォンパイプ１５の上部には手動操作により開閉できる開閉バルブ１６が設けられ、隔壁１１にも、第１沈殿層８と第２沈殿槽９とを繋ぐサイフォン効果のある逆Ｕ字型のサイフォンパイプ１７が設けられ、サイフォンパイプ１７の上部には手動操作により開閉できる開閉バルブ１８が設けられている。従って、開閉バルブ１６及び１８が開放されると、投入部水槽７と第１沈殿層８と第２沈殿槽９との間で洗浄水が移動可能となり、サイフォンパイプ１５，１７の下端部より下には、土や砂が沈殿するが、サイフォンパイプ１５，１７の下端部より上の上澄みの洗浄液は投入部水槽７から第１沈殿層８へ、第１沈殿層８から第２沈殿槽９へと移動して、第２沈殿槽９が最もきれいな状態の洗浄液となる。尚、水槽２には、図１に示すＬのレベルまで洗浄液が満たされている。一例としては、水槽２の上端部（手すり等を除く）から１０ｃｍ下まで洗浄液が満たされる。
【００２２】
また、図１及び図４に示すように、水槽２の投入部水槽７の外壁部の下部には、手動にて開閉可能な水抜きバルブ２３が設けられ、また、図１及び図３に示すように、水槽２の第２沈殿槽９の外壁部の下部にも、手動にて開閉可能な水抜きバルブ２４が設けられており、通常は、洗浄液は循環して使用されているが、必要に応じて、洗浄液を水槽２から抜くことも可能となっている。尚、第１沈殿槽８の底部にも図示外の排水口と当該排水口を塞ぐ栓を設けて、第１沈殿槽８内の洗浄液を必要に応じて抜けるようにしている。
【００２３】
また、投入部水槽７の一部の上面、第１沈殿槽８及び第２沈殿槽９の上面には、多数の開口部を備えた蓋である鉄製のグレーチング２７Ａ，２７Ｂ，２７Ｃが各々着脱可能に嵌め込まれている。また、第２沈殿槽９の外側面の上部には、鋼板製の足場２８が水平に延設され、足場２８には、梯子２９が設けられている。従って、梯子２９から足場２８上に上がり、足場２８からグレーチング２７Ｃ，２７Ｂ，２７Ａ上に移動して、第２沈殿槽９、第１沈殿槽８、投入部水槽７の上面に行くことができるようになっている。尚、投入部水槽７、第１沈殿槽８、第２沈殿槽９及び回転ドラム載置部４の周囲には、手すりパイプ２５と、手すりチェイン２６が設けられている。手すりチェイン２６は必要に応じて取り外し可能となっている。
【００２４】
次に、図１乃至図６を参照して、回転ドラム３の構造の詳細について説明する。図１乃至図６に示すように、回転ドラム３は、十分な強度及び剛性のある鋼鉄製の円筒のドラムであり、上端部の開口３Ａ近傍の部分は、十分な強度及び剛性のある金網３Ｃとなっており、この金網３Ｃが洗浄された廃棄物の洗浄液を切る水切部を構成する。また、この金網３Ｃの近傍の下端部の開口３Ｂ寄りの位置に、金網３Ｃから出た洗浄液が回転ドラム３の側面に沿って下端部方向に垂れないようにするための水切りリング３Ｊが回転ドラム３の外周に沿って設けられている。金網３Ｃから出た洗浄液が回転ドラム３の側面に伝わってもこの水切りリング３Ｊにより止められて、後述する洗浄液受樋６０上に落下する。さらに、水切りリング３Ｊよりも下端部の開口３Ｂ寄りの位置に、スプロケット３Ｆが回転ドラム３の外周に沿って固着され、そのスプロケット３Ｆ近傍の下端部の開口３Ｂ寄りの位置に円筒レール３Ｄが固着されている。また、回転ドラム３の中央より下端部の開口３Ｂ寄りの位置には、円筒レール３Ｅが固着されている。
【００２５】
図３に示すように、スプロケット３Ｆには、チェーン５２が噛合し、チェーン５２は、水槽２の外側面の補強部材７６上に固定されたモータ５０のスプロケット５１に噛合して、回転ドラム３が時計回り方向（矢印Ａ方向）に回転駆動されるようになっている。このモータ５０がドラム回転駆動手段に相当する。また、円筒レール３Ｄは、上記の補強部材７６上に固定された補助ローラ５３，５４により回動可能に保持されている。また、図５に示すように、円筒レール３Ｅは、水槽２の回転ドラム載置部４に設けられた下部台座７０に保持された補助ローラ７１，７２と、上部台座７３に設けられた補助ローラ７４とにより回動可能に保持されている。尚、補助ローラ５３，５４，７１，７２には、回転ドラム３がずれるのを防止するフランジ（図示外）が各々設けられている。さらに、図示外のずれ止めローラにより円筒レール３Ｄ，３Ｅは、幅方向に挟まれている。従って、回転ドラム３が自身の回転により、位置がずれることはない。
【００２６】
さらに、図６に示すように、回転ドラム３内には、下端部の開口３Ｂから入った廃棄物を上端部の開口３Ａから排出するための第１搬送ブレード３Ｇ及び第２搬送ブレード３Ｈが設けられている。下端部側の第１搬送ブレード３Ｇは、複数の螺旋状のブレードから構成され、回転ドラム３の回転により下端部の開口３Ｂから廃棄物を回転ドラム３の内部に送り込むようになっている。また、第２搬送ブレード３Ｈは、第１搬送ブレード３Ｇよりも間隔が広い複数の螺旋状のブレードから構成され、回転ドラム３内で廃棄物を洗浄液中で攪拌する役目と、攪拌されて洗浄された廃棄物を上端部の開口３Ａ方向へ送り出す役目を有している。尚、回転ドラム３は、図３に示す上端部側から見て、時計回り（矢印Ａ方向）に回転駆動される。
【００２７】
次に、図１及び図２を参照して、落下してくる廃棄物を回転ドラム３の下端部の開口３Ｂに案内する案内部材６の構造の詳細について説明する。案内部材６は、一例として、２０ｍｍ〜３０ｍｍの網目の十分な強度及び剛性を有する鉄製の金網から構成され、水槽２の投入部５の上端部から回転ドラム３の下端部の開口３Ｂに向けて、傾斜して配置されている。尚、その傾斜角は、２段階になっており、落下して来る廃棄物を受ける部分の傾斜が急になっており、途中で、緩やかな傾斜角となって回転ドラム３の下端部の開口３Ｂに対向する下端部を少し、当該開口３Ｂ内に挿入している。尚、この案内部材６は、必ずしも金網に限られず、鉄板に多数の孔を空けた物等でもよい。また、この案内部材６は、図示外の機構により下端部を回点軸として、持ち上げ可能となっており、水槽２の内部に沈殿した土や砂等の沈殿物を除去する場合には、案内部材６の上端部を持ち上げて、小型のパワーシャベル等で土や砂等の沈殿物を除去することができる。さらに、案内部材６の左右端部には、案内部材６上の廃棄物が回転ドラム３の下端部の開口３Ｂに向けて移動して、外部に逃げないように、ガイド板（図示外）が立設されている。このガイド板は、金網でも、ゴム板等でもよい。
【００２８】
また、案内部材６の裏面側には、案内部材６上を転り落ちる廃棄物に対して、圧縮空気を案内部材６の裏面側から吹き付けて、当該廃棄物を回転ドラム３の下端部の開口３Ｂ方向に送り込むための送込用圧縮空気噴出手段としてのエアノズル１３が設けられている。このエアノズル１３は、図示外のコンプレッサーに耐圧ホースで接続されている。また、案内部材６の下端部には、回転ドラム３内で、回転ドラム３の回転に伴って攪拌される廃棄物を圧縮空気の噴出によりさらに攪拌して、廃棄物の洗浄効果を高めるための攪拌用圧縮空気噴出手段としてのエアノズル１４が設けられている。このエアノズル１４も図示外のコンプレッサーに耐圧ホースで接続されている。このエアノズル１４からの圧縮空気の吹き出し方向は、回転ドラム３と平行に回転ドラム３の内部方向である。
【００２９】
次に、図２及び図３を参照して、回転ドラム３の上端部の開口３Ａに設けられた洗浄液吹出手段としての洗浄液ノズル４０及びその周辺部材について説明する。図２及び図３に示すように、この洗浄液ノズル４０は、回転ドラム３の上端部の開口３Ａ近傍に、当該回転ドラム３の上端部の開口３Ａに接触しないようにアーム４１にて保持されており、アーム４１の基部は、水槽２の外壁の上端部に固定されている。また、この洗浄液ノズル４０に洗浄液を供給するポンプ４３が水槽２の外壁の補強部材７６上に固定されており、第２沈殿槽９の上澄み液をホース４２を介して洗浄液ノズル４０に供給するようになっている。この洗浄液ノズル４０の先端は、回転ドラム３の開口３Ａ内に向けられており、回転ドラム３内で洗浄された廃棄物は、最後にすすぎとしての洗浄水が吹き付けられることになる。
【００３０】
また、図１及び図３に示すように、回転ドラム３の上端部の開口３Ａの直下には、水切部としての金網３から落下する洗浄液を受ける洗浄液受樋６０が設けられ、当該洗浄液受樋６０で受けられた洗浄液は、当該洗浄液受樋６０近傍の水槽２の外壁の補強部材７６に固定された樋部沈殿槽６１に流入するようになっている。この樋部沈殿槽６１では、洗浄液受樋６０から流入した洗浄液中の土や砂が沈殿されて、浄化された洗浄液がパイプ６２により第２沈殿槽９に還流されるようになっている。
【００３１】
次に、上記の構成を有する洗浄装置１の動作の詳細について説明する。まず、図示外の風力選別機から投入される可燃物を主体とする軽質廃棄物は、金網から成る案内部材６上を落下して、水槽２の投入部５の洗浄液（一例として水）に浸かる。このときに、当該廃棄物に付着している土や砂が案内部材６の網目から落下する。そして、案内部材６の裏面側のエアノズル１３から噴射される圧縮空気により、廃棄物は回転ドラム３の下端部の開口３Ｂ方向に送り込まれる。開口３Ｂから回転ドラム３内に入った廃棄物は、回転ドラム３の回転に伴って第１搬送ブレード３Ｇにより、回転ドラム３の長手方向における中心方向に送り込まれると共に、第２搬送ブレード３Ｈにより洗浄液中で攪拌されると共に、エアノズル１４からの圧縮空気の噴出により、さらにほぐされて攪拌されて洗浄される。そして、洗浄液で十分に洗浄された廃棄物は、回転ドラム３の回転に伴って第２搬送ブレード３Ｈにより、開口３Ａ方向に送られて、洗浄液ノズル４０から洗浄液を吹きかけられて、再度洗浄される（すすぎが行われる）。そして、廃棄物は金網３Ｃの部分で水切りされ、その後、開口３Ａから外部に落下する。
【００３２】
尚、水槽２内の洗浄液は、土や砂が混ざった状態となるが、投入部水槽７からサイフォンパイプ１５により上澄み液が第１沈殿槽８に送られ、さらに、第１沈殿槽８からサイフォンパイプ１７により上澄み液が第２沈殿槽９に送られるので、第２沈殿槽９の洗浄液が最もきれいになっている。また、サイフォン効果を止める場合には、開閉バルブ１６，１８を閉めればよい。尚、通常時は、開閉バルブ１６，１８は開放されている。
【００３３】
以上説明したように、本実施の形態の洗浄装置１によれば、土中に埋められていたビニール、プラスチック、紙等の可燃物を主体とする廃棄物等でも洗浄液で洗浄して、土や砂等を十分に除去して、焼却処分できるようにきれいにできる。また、洗浄液は、沈殿槽で、土や砂を沈殿して循環利用するので、洗浄水の排出による環境汚染も防止できる。
【００３４】
尚、本発明は、上記実施の形態に限られず、各種の変形が可能である。例えば、洗浄液は、水に限られず、洗剤等を混ぜた物でもよい。さらに、本実施の形態では、水槽部沈殿槽として、第１沈殿槽８及び第２沈殿槽９の２つを設けたが、必ずしも２つに限られない。さらに、本実施の形態では、案内部材６は、単なる金網であったが、これを振動モータ等により振動する金網にしてもよい。また、エアノズル１３は、案内部材６の裏面側に設けたが、案内部材６の表面側に設けてもよい。さらに、案内部材６の表面側に洗浄水を廃棄物に吹きつける洗浄水吹きつけ手段としての洗浄水ノズルを設けてもよい。また、本発明は、土や砂が付着した廃棄物の洗浄のみならず、各種の粉等が付着した廃棄物も洗浄できる。
【図面の簡単な説明】
【００３５】
【図１】洗浄装置１の正面図である。
【図２】洗浄装置１の平面図である。
【図３】洗浄装置１の左側面図である。
【図４】洗浄装置１の右側面図である。
【図５】図２における洗浄装置１のＡ−Ａ’線における断面図である。
【図６】回転ドラム３の縦断面図である。
【符号の説明】
【００３６】
１  洗浄装置
２  水槽
３  回転ドラム
３Ａ  開口
３Ｂ  開口
３Ｃ  金網
３Ｄ  円筒レール
３Ｅ  円筒レール
３Ｆ  スプロケット
３Ｇ  第１搬送ブレード
３Ｈ  第２搬送ブレード
３Ｊ  水切りリング
４  回転ドラム載置部
５  投入部
６  案内部材
７  投入部水槽
８  第１沈殿層
９  第２沈殿槽
１０  隔壁
１１  隔壁
１３  エアノズル
１４  エアノズル
１５  サイフォンパイプ
１６  開閉バルブ
１７  サイフォンパイプ
１８  開閉バルブ
２０  隔壁
２１  隔壁
２２  金網
２３  水抜きバルブ
２４  水抜きバルブ
２５  手すりパイプ
２６  手すりチェイン
２７Ａ  グレーチング
２７Ｂ  グレーチング
２７Ｃ  グレーチング
２８  足場
２９  梯子
４０  洗浄液ノズル
４１  アーム
４３  ポンプ
５０  モータ
５１  スプロケット
５２  チェーン
５３  補助ローラ
６０  洗浄液受樋
６１  樋部沈殿槽
６２  パイプ
【図１】
2006068635.tif 000003
【図２】
2006068635.tif 000004
【図３】
2006068635.tif 000005
【図４】
2006068635.tif 000006
【図５】
2006068635.tif 000007
【図６】
2006068635.tif 000008